(57)【要約】【課題】収納袋の外観を見ただけで当該収納袋に収納されている貨幣に関する情報や他の様々な情報を操作者が容易に認識することができる貨幣処理機および貨幣処理方法を提供する。【解決手段】貨幣処理機（例えば、紙幣処理機１０）は、貨幣（例えば、紙幣）を収納する収納袋（例えば、紙幣収納袋３４）が装着される装着部３２と、装着部３２に装着されている収納袋の開口を封止する封止部３８と、装着部３２に装着されている収納袋に収納されるべき貨幣を識別する識別部２６と、識別部２６による識別結果に基づいて、収納袋の開口の封止方法を複数の封止方法から選択して設定する設定部４０と、設定部４０により設定された封止方法に基づいて装着部３２に装着されている収納袋の開口を封止させるよう封止部３８を制御する制御部５０とを備えている。【選択図】図１
2020173872.tif 000002
【特許請求の範囲】
【請求項１】
貨幣を収納する収納袋が装着される装着部と、
前記装着部に装着されている収納袋の開口を封止する封止部と、
前記装着部に装着されている収納袋に収納されるべき貨幣を識別する識別部と、
前記識別部による識別結果に基づいて、収納袋の開口の封止方法を複数の封止方法から選択して設定する設定部と、
前記設定部により設定された封止方法に基づいて前記装着部に装着されている収納袋の開口を封止させるよう前記封止部を制御する制御部と、
を備えた、貨幣処理機。
【請求項２】
前記封止部は、前記装着部に装着されている収納袋の開口を封止する封止部材を有しており、
前記設定部は、収納袋の開口の封止方法として、前記装着部に装着されている収納袋における前記封止部材により封止される場所を前記識別部による識別結果に基づいて設定するようになっており、
前記制御部は、前記装着部に装着されている収納袋における前記設定部により設定された場所を封止するよう前記封止部の前記封止部材を制御する、請求項１記載の貨幣処理機。
【請求項３】
前記封止部材は、前記装着部に装着されている収納袋の開口を熱により封止するようになっており、
前記装着部に装着されるべき収納袋には、互いに色が異なる複数の感熱発光層が設けられており、
前記設定部は、前記装着部に装着されている収納袋における前記封止部材により封止される場所を設定する際に、前記識別部による識別結果に基づいて、収納袋に設けられている複数の感熱発光層のうち前記封止部材により封止される感熱発光層を選択して設定するようになっており、
前記制御部は、前記設定部により設定された感熱発光層を封止するよう前記封止部の前記封止部材を制御する、請求項２記載の貨幣処理機。
【請求項４】
前記装着部に装着されている収納袋に印字を行う印字部材が設けられており、
前記設定部は、収納袋の開口の封止方法として、前記印字部材により収納袋に印字される印字内容を前記識別部による識別結果に基づいて設定するようになっており、
前記制御部は、前記設定部により設定された印字内容に基づいて、前記装着部に装着されている収納袋に印字を行うよう前記印字部材を制御する、請求項１記載の貨幣処理機。
【請求項５】
前記印字部材は、前記装着部に装着されている収納袋における前記封止部により封止された箇所に印字を行う、請求項４記載の貨幣処理機。
【請求項６】
前記装着部に装着されている収納袋に刻印を行う刻印部材が設けられており、
前記設定部は、収納袋の開口の封止方法として、前記刻印部材により収納袋に刻印される刻印内容を前記識別部による識別結果に基づいて設定するようになっており、
前記制御部は、前記設定部により設定された刻印内容に基づいて、前記装着部に装着されている収納袋に刻印を行うよう前記刻印部材を制御する、請求項１記載の貨幣処理機。
【請求項７】
前記刻印部材は、前記装着部に装着されている収納袋における前記封止部により封止された箇所に刻印を行う、請求項６記載の貨幣処理機。
【請求項８】
前記装着部に装着されている収納袋を部分的に切断する切断部材が設けられており、
前記設定部は、収納袋の開口の封止方法として、前記装着部に装着されている収納袋における前記切断部材により切断される場所を前記識別部による識別結果に基づいて設定するようになっており、
前記制御部は、前記装着部に装着されている収納袋における前記設定部により設定された場所を切断するよう前記切断部材を制御する、請求項１記載の貨幣処理機。
【請求項９】
前記設定部は、前記識別部による識別結果に基づいて、前記装着部に装着されている収納袋に収納された貨幣の枚数または金額が確定されていない場合には、収納袋の開口の封止方法を、前記装着部に装着されている収納袋に収納された貨幣の枚数または金額が確定されている場合と異なるものとする、請求項１乃至８のいずれか一項に記載の貨幣処理機。
【請求項１０】
前記設定部は、前記識別部による識別結果に基づいて、前記装着部に装着されている収納袋に収納された貨幣の枚数または金額に対応する収納袋の開口の封止方法を複数の封止方法から選択して設定する、請求項１乃至８のいずれか一項に記載の貨幣処理機。
【請求項１１】
前記設定部は、前記識別部による識別結果に基づいて、前記装着部に装着されている収納袋に収納された貨幣の枚数または金額が予め設定されている所定の枚数または所定の金額よりも多い場合には、収納袋の開口の封止方法を、前記装着部に装着されている収納袋に収納された貨幣の枚数または金額が予め設定されている所定の枚数または所定の金額以下である場合と異なるものとする、請求項１乃至８のいずれか一項に記載の貨幣処理機。
【請求項１２】
前記設定部は、前記識別部による識別結果に基づいて、前記装着部に装着されている収納袋に収納された貨幣の金種に対応する収納袋の開口の封止方法を複数の封止方法から選択して設定する、請求項１乃至８のいずれか一項に記載の貨幣処理機。
【請求項１３】
前記設定部は、前記識別部による識別結果に基づいて、前記装着部に装着されている収納袋に複数の金種の貨幣が収納された場合には、収納袋の開口の封止方法を、前記装着部に装着されている収納袋に収納された貨幣の金種が１種類である場合と異なるものとする、請求項１２記載の貨幣処理機。
【請求項１４】
前記設定部は、前記識別部による識別結果に基づいて、前記装着部に装着されている収納袋に収納された少なくとも１つの貨幣が真正な貨幣ではない場合には、収納袋の開口の封止方法を、前記装着部に装着されている収納袋に収納された全ての貨幣が真正な貨幣である場合と異なるものとする、請求項１乃至８のいずれか一項に記載の貨幣処理機。
【請求項１５】
貨幣を収納する収納袋が装着される装着部と、
前記装着部に装着されている収納袋の開口を封止する封止部と、
貨幣の処理に係る情報を入力するための入力部と、
前記入力部に入力された情報に基づいて、収納袋の開口の封止方法を複数の封止方法から選択して設定する設定部と、
前記設定部により設定された封止方法に基づいて前記装着部に装着されている収納袋の開口を封止させるよう前記封止部を制御する制御部と、
を備えた、貨幣処理機。
【請求項１６】
前記入力部により入力される貨幣の処理に係る情報は、貨幣の処理日時、前記封止部により収納袋の開口が封止される日時、貨幣の処理担当者、前記貨幣処理機が設置される場所、および前記貨幣処理機の次工程の情報を含む複数の情報のうち少なくとも一つのものである、請求項１５記載の貨幣処理機。
【請求項１７】
貨幣を収納する収納袋を装着部に装着する工程と、
前記装着部に装着されている収納袋に収納されるべき貨幣を識別部により識別する工程と、
前記識別部による識別結果に基づいて、収納袋の開口の封止方法を複数の封止方法から選択して設定する工程と、
設定された封止方法に基づいて、前記装着部に装着されている収納袋の開口を封止する工程と、
を備えた、貨幣処理方法。
【請求項１８】
貨幣を収納する収納袋を装着部に装着する工程と、
貨幣の処理に係る情報を入力部により入力する工程と、
前記入力部に入力された情報に基づいて、収納袋の開口の封止方法を複数の封止方法から選択して設定する工程と、
設定された封止方法に基づいて、前記装着部に装着されている収納袋の開口を封止する工程と、
を備えた、貨幣処理方法。
【発明の詳細な説明】
【技術分野】
【０００１】
本発明は、パウチ袋等の収納袋が装着される装着部を備えた貨幣処理機およびこのような貨幣処理機による貨幣処理方法に関する。
【背景技術】
【０００２】
紙幣の入金処理や出金処理等の様々な処理を行う紙幣処理機において、機体内に取り込まれた紙幣をパウチ袋等の収納袋に収納させるようなタイプのものが従来から用いられている。このような紙幣処理機として、例えば特許文献１等に開示されるものが従来から知られている。より詳細には、特許文献１には、スーパーマーケット等の店舗におけるバックヤード領域に設置される現金出納装置において、紙幣を収納する収納袋が着脱自在に装着可能となっており、当該現金出納装置に入金された紙幣は収納袋に収納されることが開示されている。
【先行技術文献】
【特許文献】
【０００３】
【特許文献１】特開２０１４−１７４５８１号公報
【発明の概要】
【発明が解決しようとする課題】
【０００４】
パウチ袋等の収納袋が装着される装着部を備えた従来の紙幣処理機では、装着部に装着される収納袋の外観は同じであるため、紙幣が収納された収納袋の外観を見ただけでは当該収納袋に収納されている紙幣に関する情報（例えば、収納袋に収納されている紙幣の枚数や金額、金種等の情報）を操作者が認識することができないという問題があった。
【０００５】
本発明は、このような点を考慮してなされたものであり、収納袋の外観を見ただけで当該収納袋に収納されている貨幣に関する情報や他の様々な情報を操作者が容易に認識することができる貨幣処理機および貨幣処理方法を提供することを目的とする。
【課題を解決するための手段】
【０００６】
本発明の貨幣処理機は、貨幣を収納する収納袋が装着される装着部と、前記装着部に装着されている収納袋の開口を封止する封止部と、前記装着部に装着されている収納袋に収納されるべき貨幣を識別する識別部と、前記識別部による識別結果に基づいて、収納袋の開口の封止方法を複数の封止方法から選択して設定する設定部と、前記設定部により設定された封止方法に基づいて前記装着部に装着されている収納袋の開口を封止させるよう前記封止部を制御する制御部と、を備えたことを特徴とする。
【０００７】
このような貨幣処理機によれば、収納袋に収納されるべき貨幣の識別結果に基づいて収納袋の開口の封止方法を複数の封止方法から選択して設定することにより、収納袋の外観を見ただけで当該収納袋に収納されている貨幣に関する情報を操作者が容易に認識することができる。
【０００８】
本発明の貨幣処理機においては、前記封止部は、前記装着部に装着されている収納袋の開口を封止する封止部材を有しており、前記設定部は、収納袋の開口の封止方法として、前記装着部に装着されている収納袋における前記封止部材により封止される場所を前記識別部による識別結果に基づいて設定するようになっており、前記制御部は、前記装着部に装着されている収納袋における前記設定部により設定された場所を封止するよう前記封止部の前記封止部材を制御するようになっていてもよい。
【０００９】
この場合、前記封止部材は、前記装着部に装着されている収納袋の開口を熱により封止するようになっており、前記装着部に装着されるべき収納袋には、互いに色が異なる複数の感熱発光層が設けられており、前記設定部は、前記装着部に装着されている収納袋における前記封止部材により封止される場所を設定する際に、前記識別部による識別結果に基づいて、収納袋に設けられている複数の感熱発光層のうち前記封止部材により封止される感熱発光層を選択して設定するようになっており、前記制御部は、前記設定部により設定された感熱発光層を封止するよう前記封止部の前記封止部材を制御するようになっていてもよい。
【００１０】
本発明の貨幣処理機においては、前記装着部に装着されている収納袋に印字を行う印字部材が設けられており、前記設定部は、収納袋の開口の封止方法として、前記印字部材により収納袋に印字される印字内容を前記識別部による識別結果に基づいて設定するようになっており、前記制御部は、前記設定部により設定された印字内容に基づいて、前記装着部に装着されている収納袋に印字を行うよう前記印字部材を制御するようになっていてもよい。
【００１１】
この場合、前記印字部材は、前記装着部に装着されている収納袋における前記封止部により封止された箇所に印字を行うようになっていてもよい。
【００１２】
本発明の貨幣処理機においては、前記装着部に装着されている収納袋に刻印を行う刻印部材が設けられており、前記設定部は、収納袋の開口の封止方法として、前記刻印部材により収納袋に刻印される刻印内容を前記識別部による識別結果に基づいて設定するようになっており、前記制御部は、前記設定部により設定された刻印内容に基づいて、前記装着部に装着されている収納袋に刻印を行うよう前記刻印部材を制御するようになっていてもよい。
【００１３】
この場合、前記刻印部材は、前記装着部に装着されている収納袋における前記封止部により封止された箇所に刻印を行うようになっていてもよい。
【００１４】
本発明の貨幣処理機においては、前記装着部に装着されている収納袋を部分的に切断する切断部材が設けられており、前記設定部は、収納袋の開口の封止方法として、前記装着部に装着されている収納袋における前記切断部材により切断される場所を前記識別部による識別結果に基づいて設定するようになっており、前記制御部は、前記装着部に装着されている収納袋における前記設定部により設定された場所を切断するよう前記切断部材を制御するようになっていてもよい。
【００１５】
本発明の貨幣処理機においては、前記設定部は、前記識別部による識別結果に基づいて、前記装着部に装着されている収納袋に収納された貨幣の枚数または金額が確定されていない場合には、収納袋の開口の封止方法を、前記装着部に装着されている収納袋に収納された貨幣の枚数または金額が確定されている場合と異なるものとするようになっていてもよい。
【００１６】
本発明の貨幣処理機においては、前記設定部は、前記識別部による識別結果に基づいて、前記装着部に装着されている収納袋に収納された貨幣の枚数または金額に対応する収納袋の開口の封止方法を複数の封止方法から選択して設定するようになっていてもよい。
【００１７】
本発明の貨幣処理機においては、前記設定部は、前記識別部による識別結果に基づいて、前記装着部に装着されている収納袋に収納された貨幣の枚数または金額が予め設定されている所定の枚数または所定の金額よりも多い場合には、収納袋の開口の封止方法を、前記装着部に装着されている収納袋に収納された貨幣の枚数または金額が予め設定されている所定の枚数または所定の金額以下である場合と異なるものとするようになっていてもよい。
【００１８】
本発明の貨幣処理機においては、前記設定部は、前記識別部による識別結果に基づいて、前記装着部に装着されている収納袋に収納された貨幣の金種に対応する収納袋の開口の封止方法を複数の封止方法から選択して設定するようになっていてもよい。
【００１９】
この場合、前記設定部は、前記識別部による識別結果に基づいて、前記装着部に装着されている収納袋に複数の金種の貨幣が収納された場合には、収納袋の開口の封止方法を、前記装着部に装着されている収納袋に収納された貨幣の金種が１種類である場合と異なるものとするようになっていてもよい。
【００２０】
本発明の貨幣処理機においては、前記設定部は、前記識別部による識別結果に基づいて、前記装着部に装着されている収納袋に収納された少なくとも１つの貨幣が真正な貨幣ではない場合には、収納袋の開口の封止方法を、前記装着部に装着されている収納袋に収納された全ての貨幣が真正な貨幣である場合と異なるものとするようになっていてもよい。
【００２１】
本発明の貨幣処理機は、貨幣を収納する収納袋が装着される装着部と、前記装着部に装着されている収納袋の開口を封止する封止部と、貨幣の処理に係る情報を入力するための入力部と、前記入力部に入力された情報に基づいて、収納袋の開口の封止方法を複数の封止方法から選択して設定する設定部と、前記設定部により設定された封止方法に基づいて前記装着部に装着されている収納袋の開口を封止させるよう前記封止部を制御する制御部と、を備えたことを特徴とする。
【００２２】
このような貨幣処理機によれば、入力部により入力された情報に基づいて収納袋の開口の封止方法を複数の封止方法から選択して設定することにより、収納袋の外観を見ただけで入力部により入力された貨幣に関する情報を操作者が容易に認識することができる。
【００２３】
本発明の貨幣処理機においては、前記入力部により入力される貨幣の処理に係る情報は、貨幣の処理日時、前記封止部により収納袋の開口が封止される日時、貨幣の処理担当者、前記貨幣処理機が設置される場所、および前記貨幣処理機の次工程の情報を含む複数の情報のうち少なくとも一つのものであってもよい。
【００２４】
本発明の貨幣処理方法は、貨幣を収納する収納袋を装着部に装着する工程と、前記装着部に装着されている収納袋に収納されるべき貨幣を識別部により識別する工程と、前記識別部による識別結果に基づいて、収納袋の開口の封止方法を複数の封止方法から選択して設定する工程と、設定された封止方法に基づいて、前記装着部に装着されている収納袋の開口を封止する工程と、を備えたことを特徴とする。
【００２５】
このような貨幣処理方法によれば、収納袋に収納されるべき貨幣の識別結果に基づいて収納袋の開口の封止方法を複数の封止方法から選択して設定することにより、収納袋の外観を見ただけで当該収納袋に収納されている貨幣に関する情報を操作者が容易に認識することができる。
【００２６】
本発明の貨幣処理方法は、貨幣を収納する収納袋を装着部に装着する工程と、貨幣の処理に係る情報を入力部により入力する工程と、前記入力部に入力された情報に基づいて、収納袋の開口の封止方法を複数の封止方法から選択して設定する工程と、設定された封止方法に基づいて、前記装着部に装着されている収納袋の開口を封止する工程と、を備えたことを特徴とする。
【００２７】
このような貨幣処理方法によれば、入力部により入力された情報に基づいて収納袋の開口の封止方法を複数の封止方法から選択して設定することにより、収納袋の外観を見ただけで入力部により入力された貨幣に関する情報を操作者が容易に認識することができる。
【発明の効果】
【００２８】
本発明の貨幣処理機および貨幣処理方法によれば、収納袋の外観を見ただけで当該収納袋に収納されている貨幣に関する情報や他の様々な情報を操作者が容易に認識することができる。
【図面の簡単な説明】
【００２９】
【図１】本発明の実施の形態による紙幣処理機の内部構成を概略的に示す概略構成図である。
【図２】図１に示す紙幣処理機の制御系の構成を示す機能ブロック図である。
【図３】図１に示す紙幣処理機において装着部に装着されている紙幣収納袋の開口を封止部により封止する動作の一例を示す側面図である。
【図４】図１に示す紙幣処理機において装着部に装着されている紙幣収納袋の開口を封止部により封止する動作の他の例を示す側面図である。
【図５】図１に示す紙幣処理機において装着部に装着されている紙幣収納袋の開口を封止部により封止する動作の更に他の例を示す側面図である。
【図６】図１に示す紙幣処理機において装着部に装着されている紙幣収納袋の開口を封止部により封止する動作の更に他の例を示す側面図である。
【図７】図１に示す紙幣処理機において装着部に装着されている紙幣収納袋の開口を封止部により封止する動作の更に他の例を示す側面図である。
【図８】図１に示す紙幣処理機において装着部に装着されている紙幣収納袋の開口を封止部により封止する動作の更に他の例を示す側面図である。
【図９】図１に示す紙幣処理機において装着部に装着されている紙幣収納袋の開口を封止部により封止する動作の更に他の例を示す側面図である。
【図１０】図１に示す紙幣処理機において装着部に装着されている紙幣収納袋の他の構成例を示す側面図である。
【図１１】図１に示す紙幣処理機において装着部に装着されている紙幣収納袋の更に他の構成例を示す側面図である。
【発明を実施するための形態】
【００３０】
以下、図面を参照して本発明の実施の形態について説明する。図１乃至図９は、本実施の形態に係る紙幣処理機および紙幣処理方法を示す図である。このうち、図１は、本実施の形態による紙幣処理機の内部構成を概略的に示す概略構成図であり、図２は、図１に示す紙幣処理機の制御系の構成を示す機能ブロック図である。また、図３乃至図９は、図１に示す紙幣処理機において装着部に装着されている紙幣収納袋の開口を封止部により封止する動作の様々な例を示す側面図である。
【００３１】
本実施の形態による紙幣処理機１０は、概してスーパーマーケット等の店舗のフロント領域やバックヤード領域に配置されるものであり、当該紙幣処理機１０は、紙幣の入金処理等の様々な処理を行うことができるようになっている。図１に示すように、本実施の形態による紙幣処理機１０は略直方体形状の筐体１２を有している。なお、図１における筐体１２の左側の面が当該筐体１２の前面（すなわち、操作者が対向する面）となっている。また、筐体１２の内部には、上部ユニット１４および下部ユニット１６がそれぞれ当該筐体１２の前面から前方（具体的には、図１における左方向）に引き出し可能となるよう収容されている。上部ユニット１４において、筐体１２の前面上部（図１における左側の面の上部）には、筐体１２の外部から内部に紙幣を投入するための受入ホッパ等の投入部２０が設けられている。また、上部ユニット１４において、筐体１２の前面（図１における左側の面）における投入部２０の下方には、筐体１２の内部から外部に紙幣を投出するための投出部２２が設けられている。
【００３２】
投入部２０には、操作者により当該投入部２０に積層状態で載置された紙幣を１枚ずつ筐体１２の内部に繰り出すための紙幣繰出機構２０ａが設けられている。また、上部ユニット１４において、紙幣処理機１０の筐体１２の内部には、当該筐体１２内で紙幣を１枚ずつ搬送する搬送部２４が設けられており、紙幣繰出機構２０ａにより投入部２０から繰り出された紙幣は当該搬送部２４により１枚ずつ搬送されるようになっている。また、搬送部２４には識別部２６が設けられており、紙幣繰出機構２０ａにより搬送部２４に繰り出された紙幣は識別部２６によりその金種、真偽、表裏、正損、新旧、搬送状態等が識別されるようになっている。
【００３３】
図１に示すように、搬送部２４には投出部２２が接続されており、搬送部２４から投出部２２に送られた紙幣は当該投出部２２に集積されるようになっている。また、投出部２２は筐体１２の外部からアクセス可能となっており、操作者は投出部２２に集積された紙幣を筐体１２の前面から取り出すことができるようになっている。また、搬送部２４における投出部２２との接続箇所には羽根車２２ａが設けられており、当該羽根車２２ａは図１における反時計回りの方向に回転するようになっている。そして、搬送部２４から投出部２２に紙幣が送られる際に、羽根車２２ａにおける２つの羽根の間に紙幣が挟まれた状態で当該羽根車２２ａが図１における反時計回りの方向に回転することにより、羽根車２２ａの２つの羽根の間に挟まれた紙幣は投出部２２に整列された状態で集積されるようになる。
【００３４】
また、上部ユニット１４において、搬送部２４にはテープ式の収納繰出部３０が設けられており、搬送部２４から収納繰出部３０に送られた紙幣が当該収納繰出部３０に収納されるとともにこの収納繰出部３０に収納されている紙幣を１枚ずつ搬送部２４に繰り出すことができるようになっている。より詳細には、収納繰出部３０は正逆両方向に回転可能なドラム３０ａが設けられており、当該ドラム３０ａの外周面には一対の帯状のテープ３１の一端が接続されている。そして、搬送部２４から収納繰出部３０に紙幣が送られると、これらの帯状のテープ３１により当該紙幣は１枚ずつテープ３１ごとドラム３０ａに巻き取られるようになっている。一方、ドラム３０ａを逆方向に回転させることにより各テープ３１をドラム３０ａから巻き戻すとドラム３０ａに巻き取られている紙幣も各テープ３１から放出されて搬送部２４に繰り出されるようになる。
【００３５】
図１に示すように、本実施の形態では、下部ユニット１６には、パウチ袋等の紙幣収納袋３４を装着可能な装着部３２が複数（図１に示す例では２つ）設けられている。より詳細には、下部ユニット１６において２つの装着部３２が筐体１２からの当該下部ユニット１６の引き出し方向（すなわち、図１における左方向）に沿って並ぶよう設けられている。
【００３６】
各装着部３２は、互いに対向するよう離間して設けられた一対の保持部材３２ａを有しており、紙幣収納袋３４の開口近傍における互いに対向する２つの箇所が各保持部材３２ａによりそれぞれ保持されるようになっている。ここで、ある保持部材３２ａはその位置が固定されているのに対し、別の保持部材３２ａは位置固定の保持部材３２ａに向かって移動することができるようになっている。また、各装着部３２には、当該装着部３２に装着されている紙幣収納袋３４の開口を封止する封止部３８が設けられている。封止部３８は、装着部３２に装着されている紙幣収納袋３４の開口を封止する封止部材３８ａを有している。ここで、封止部材３８ａは、装着部３２に装着されている紙幣収納袋３４の開口を熱により封止するようになっている。より詳細には、封止部材３８ａは各保持部材３２ａにそれぞれ設けられており、装着部３２に装着された紙幣収納袋３４に紙幣が収納された後、一方の保持部材３２ａが他方の保持部材３２ａに向かって移動してこれらの保持部材３２ａが互いに接合した状態で、各封止部材３８ａによって紙幣収納袋３４の開口近傍の箇所に熱が与えられることにより当該紙幣収納袋３４の開口はヒートシール（熱封止）されるようになっている。また、各装着部３２において、一対の保持部材３２ａのうちある１つの保持部材３２ａが他の保持部材３２ａに向かって移動する代わりに、両方の保持部材３２ａがそれぞれ他の保持部材３２ａに向かって移動してこれらの保持部材３２ａが互いに接合するようになっていてもよい。
【００３７】
なお、後述するように、封止部３８は、装着部３２に装着されている紙幣収納袋３４に印字を行う印字部材３８ｂまたは装着部３２に装着されている紙幣収納袋３４に刻印を行う刻印部材３８ｃを有していてもよい。また、封止部３８は、装着部３２に装着されている紙幣収納袋３４を部分的に切断する切断部材３８ｄを有していてもよい。切断部材３８ｄは、装着部３２に装着されている紙幣収納袋３４の開口の近傍の箇所に穴を開けたり紙幣収納袋３４の端縁に切り欠きを形成したりするようになっている。これらの印字部材３８ｂ、刻印部材３８ｃおよび切断部材３８ｄの機能の詳細については後述する。なお、本実施の形態では、印字部材３８ｂ、刻印部材３８ｃおよび切断部材３８ｄは、それぞれ封止部３８の一部をなす構成部材として用いられるが、印字部材３８ｂ、刻印部材３８ｃおよび切断部材３８ｄのうち少なくとも一つの部材または全ての部材を、封止部３８とは別の構成部材としてもよい。
【００３８】
また、図１では図示していないが、各装着部３２において一対の保持部材３２ａの上方には、搬送部２４から送られた紙幣を一時的に保持するための一時保留部と、一時保留部に一時的に保留される紙幣を紙幣収納袋３４の内部に押し込む押し込み板とがそれぞれ設けられている。具体的には、搬送部２４から各装着部３２に送られた紙幣は一時保留部に積層状態で集積されるようになっており、一時保留部に積層状態で集積された紙幣を紙幣収納袋３４に収納させる際には押し込み板が下方に移動することによってこの一時保留部に集積されている紙幣が下方に押されて紙幣収納袋３４の内部に送られるようになっている。また、紙幣収納袋３４に所定枚数の紙幣が収納されると、押し込み板が下方に移動して紙幣収納袋３４の内部に進入し、この押し込み板によって紙幣収納袋３４に収納されている紙幣が下方に押し込まれて圧縮されるようになっている。
【００３９】
また、操作者は、下部ユニット１６を筐体１２の前面から前方（すなわち、図１における左方向）に引き出すことによって、紙幣が収納された紙幣収納袋３４を装着部３２から取り外したり空の紙幣収納袋３４を装着部３２に装着させたりすることができるようになっている。
【００４０】
また、上部ユニット１４において、搬送部２４からは各装着部３２に対応して複数（図１に示す例では２つ）の分岐搬送部２５が分岐しており、搬送部２４から分岐搬送部２５に分岐させられた紙幣が当該分岐搬送部２５から各装着部３２に装着された紙幣収納袋３４に送られて当該紙幣収納袋３４に収納されるようになっている。
【００４１】
また、本実施の形態の紙幣処理機１０には、当該紙幣処理機１０の各構成部材の制御を行う制御部５０が設けられている。より詳細には、図２に示すように、制御部５０には、投入部２０に設けられた紙幣繰出機構２０ａ、投出部２２に設けられた羽根車２２ａを駆動するための羽根車駆動部２２ｂ、搬送部２４、分岐搬送部２５、識別部２６、収納繰出部３０、装着部３２、封止部３８等がそれぞれ接続されている。そして、識別部２６による紙幣の識別結果に係る信号が制御部５０に送られるとともに、制御部５０は紙幣処理機１０の各構成部材に指令信号を送ることによりこれらの構成部材の動作を制御するようになっている。
【００４２】
また、図２に示すように、制御部５０には操作表示部５２、記憶部５４、印字部５６および通信インターフェース部５８がそれぞれ接続されている。図１に示すように、操作表示部５２は例えば筐体１２の上面に設けられたタッチパネル等からなり、紙幣処理機１０における紙幣の入金処理等の処理状況や、各紙幣収納袋３４に収納されている紙幣の在高等に関する情報が操作表示部５２に表示されるようになっている。また、操作者は操作表示部５２を操作することにより制御部５０に対して様々な指令を与えることができるようになっている。
【００４３】
記憶部５４には、紙幣処理機１０における紙幣の入金処理等の処理履歴や、各紙幣収納袋３４に収納されている紙幣の在高等に関する情報が記憶されるようになっている。また、印字部５６は、紙幣処理機１０における紙幣の入金処理等の処理履歴や、各紙幣収納袋３４に収納されている紙幣の在高等に関する情報をレシート等に印字するようになっている。また、制御部５０は通信インターフェース部５８を介して本実施の形態による紙幣処理機１０とは別に設けられた外部装置（具体的には、例えば上位端末）に対して信号の送受信を行うことができるようになっている。例えば、警送会社の警備員等により紙幣収納袋３４が回収される際に、制御部５０はこの紙幣収納袋３４に関する情報を通信インターフェース部５８により警送会社に送信するようになっている。
【００４４】
また、図２に示すように、制御部５０には、識別部２６による識別結果に基づいて、紙幣収納袋３４の開口の封止方法を複数の封止方法から選択して設定する設定部４０が接続されている。このような設定部４０の機能の詳細については後述する。
【００４５】
また、図２に示すように、制御部５０には電源スイッチ４２が接続されている。電源スイッチ４２は紙幣処理機１０の筐体１２に設けられており、操作者が電源スイッチ４２のオン／オフを行うことにより紙幣処理機１０が作動または休止するようになっている。
【００４６】
次に、このような構成からなる紙幣処理機１０の動作について説明する。なお、以下に示すような紙幣処理機１０の動作は、制御部５０が紙幣処理機１０の各構成部材を制御することにより行われるようになっている。
【００４７】
まず、紙幣処理機１０において紙幣の入金処理を行う際の動作について説明する。操作者が投入部２０に紙幣を投入した後、操作表示部５２により入金処理開始の指令を制御部５０に与えると、投入部２０に投入された紙幣は紙幣繰出機構２０ａにより１枚ずつ筐体１２内に繰り出され、搬送部２４により１枚ずつ搬送されるようになる。そして、搬送部２４により搬送される紙幣は識別部２６によりその金種、真偽、表裏、正損、新旧、搬送状態等が識別される。また、識別部２６のイメージセンサにより紙幣が撮像され、この紙幣の画像に基づいて当該紙幣の記番号が取得される。識別部２６により取得された紙幣の記番号に係る情報は記憶部５４に記憶される。識別部２６により正常な紙幣ではないと識別された紙幣、すなわちリジェクト紙幣は搬送部２４により投出部２２に送られ、当該投出部２２に集積される。このことにより、操作者は投出部２２に集積されたリジェクト紙幣を筐体１２の前面から手動で取り出し、投入部２０に再投入等することができるようになる。一方、識別部２６により正常な紙幣であると識別された紙幣は搬送部２４から分岐搬送部２５に分岐させられ、当該分岐搬送部２５から紙幣収納袋３４に送られ、この紙幣収納袋３４に収納されるようになる。
【００４８】
また、識別部２６により識別された紙幣が送られるべき紙幣収納袋３４がフル状態またはニアフル状態となっており、紙幣収納袋３４に紙幣を収納させることができない場合には、識別部２６により識別された紙幣は収納繰出部３０に送られ、当該収納繰出部３０に収納されるようになっている。そして、フル状態またはニアフル状態となっている紙幣収納袋３４が警送会社の警備員等や店舗の店員等によって下部ユニット１６の装着部３２から取り外され、空の紙幣収納袋３４が装着部３２に装着されると、収納繰出部３０から紙幣が１枚ずつ搬送部２４に繰り出されて当該搬送部２４により紙幣収納袋３４に送られるようになる。
【００４９】
また、フル状態またはニアフル状態となっている紙幣収納袋３４が警送会社の警備員等や店舗の店員等によって下部ユニット１６の装着部３２から取り外される際に、装着部３２に装着されている紙幣収納袋３４の開口が封止部３８によって封止されるようになっている。具体的には、一方の保持部材３２ａが他方の保持部材３２ａに向かって移動してこれらの保持部材３２ａが互いに接合した状態で、各封止部材３８ａによって紙幣収納袋３４の開口近傍の箇所に熱が与えられることにより当該紙幣収納袋３４の開口はヒートシール（熱封止）されるようになる。
【００５０】
また、本実施の形態では、装着部３２に装着されている紙幣収納袋３４に収納されるべき紙幣が識別部２６により識別されるようになっており、設定部４０は、この識別部２６による識別結果に基づいて、封止部３８による紙幣収納袋３４の開口の封止方法を複数の封止方法から選択して設定するようになっている。また、制御部５０は、設定部４０により設定された封止方法に基づいて、装着部３２に装着されている紙幣収納袋３４の開口を封止させるよう封止部３８を制御するようになっている。ここで、記憶部５４が、識別部２６による識別結果と封止方法との対応関係を記憶し、設定部４０が、識別部２６による識別結果に対応する封止方法を記憶部５４から読み出して設定するようになっていてもよい。また、操作表示部５２による入力によって、記憶部５４に記憶されている識別部２６による識別結果と封紙方法との対応関係が変更されるようになっていてもよい。このような動作の詳細について以下に説明する。
【００５１】
設定部４０は、紙幣収納袋３４の開口の封止方法として、装着部３２に装着されている紙幣収納袋３４における封止部材３８ａにより封止される場所を識別部２６による識別結果に基づいて複数の場所の中から選択して設定するようになっている。また、制御部５０は、装着部３２に装着されている紙幣収納袋３４における設定部４０により設定された場所を封止するよう封止部３８の封止部材３８ａを制御するようになっている。このような動作について図３を用いて説明する。図３に示すように、装着部３２に装着されている紙幣収納袋３４に対して封止部材３８ａは図３における上下方向および左右方向にそれぞれ移動自在となっている。また、装着部３２に装着されている紙幣収納袋３４における、封止部３８の封止部材３８ａにより封止される場所を図３において参照符合３５が指す斜線領域で示す。ここで、本実施の形態では、封止部３８の封止部材３８ａは、紙幣収納袋３４の全幅に亘って１箇所で当該紙幣収納袋３４の開口を封止してもよく（すなわち、図３において参照符合３５で示す２本の封止箇所のうち１本の封止箇所のみで封止してもよく）、あるいは、紙幣収納袋３４の全幅に亘って２箇所で当該紙幣収納袋３４の開口を封止してもよい（すなわち、図３において参照符合３５で示す２本の封止箇所で封止してもよい）。ここで、設定部４０は、識別部２６による識別結果に基づいて、封止部３８の封止部材３８ａが紙幣収納袋３４の全幅に亘って１箇所で紙幣収納袋３４の開口を封止するかあるいは２箇所で紙幣収納袋３４の開口を封止するかを設定する。より詳細には、識別部２６による識別結果に基づいて、装着部３２に装着されている紙幣収納袋３４に収納された紙幣の枚数または金額が確定されている場合（すなわち、装着部３２に装着されている紙幣収納袋３４に収納された紙幣が在高確定状態である場合）には、設定部４０は、封止部３８の封止部材３８ａが紙幣収納袋３４の全幅に亘って１箇所で紙幣収納袋３４の開口を封止することを設定する。一方、識別部２６による識別結果に基づいて、装着部３２に装着されている紙幣収納袋３４に収納された紙幣の枚数または金額が確定されていない場合（すなわち、装着部３２に装着されている紙幣収納袋３４に収納された紙幣が在高不確定状態である場合）には、設定部４０は、封止部３８の封止部材３８ａが紙幣収納袋３４の全幅に亘って２箇所で紙幣収納袋３４の開口を封止することを設定する。このことにより、装着部３２に装着されている紙幣収納袋３４に収納された紙幣の枚数または金額が確定されている場合には、装着部３２に装着されている紙幣収納袋３４は、その全幅に亘って１箇所で開口が封止部３８の封止部材３８ａにより封止されるようになり、一方、装着部３２に装着されている紙幣収納袋３４に収納された紙幣の枚数または金額が確定されていない場合には、装着部３２に装着されている紙幣収納袋３４は、その全幅に亘って２箇所で開口が封止部３８の封止部材３８ａにより封止されるようになる。このことにより、操作者は紙幣収納袋３４の外観を見ただけで当該紙幣収納袋３４に収納された紙幣の枚数または金額が確定されているか否かを容易に認識することができるようになる。
【００５２】
なお、本実施の形態では、紙幣処理機１０において紙幣の入金処理を行う際に、識別部２６による識別結果に基づいて金種を特定することができなかった紙幣を紙幣収納袋３４に強制的に収納するような強制入金モードを操作者は操作表示部５２により設定することができるようになっている。このような強制入金モードが設定されているときに、識別部２６による識別結果に基づいて金種を特定することができなかった紙幣が紙幣収納袋３４に強制的に収納された場合には、装着部３２に装着されている紙幣収納袋３４に収納された紙幣の枚数または金額が確定されていない状態となる。また、紙幣処理機１０において紙幣の入金処理を行う際に、搬送部２４において紙幣の搬送異常が生じてしまい紙幣処理機１０による処理が停止した場合に、紙幣収納袋３４に収納される直前の紙幣や紙幣収納袋３４に収納される途中の紙幣は、紙幣収納袋３４に収納されているか否かが未確定となるが、このような場合にも、装着部３２に装着されている紙幣収納袋３４に収納された紙幣の枚数または金額が確定されていない状態となる。
【００５３】
また、封止部３８の封止部材３８ａは、装着部３２に装着されている紙幣収納袋３４の全幅に亘って１箇所で当該紙幣収納袋３４の開口を封止するとともに、識別部２６による識別結果によっては、紙幣収納袋３４における全幅に亘る封止箇所の上方の箇所に追加の封止を行うようになっていてもよい。このような動作について図４（ａ）〜（ｃ）を用いて説明する。図４（ａ）〜（ｃ）において、装着部３２に装着されている紙幣収納袋３４における、封止部３８の封止部材３８ａにより封止される場所を参照符合３５、３５ａ、３５ｂが指す斜線領域で示す。ここで、識別部２６による識別結果に基づいて、装着部３２に装着されている紙幣収納袋３４に収納された紙幣の枚数または金額が確定されていない場合（すなわち、装着部３２に装着されている紙幣収納袋３４に収納された紙幣が在高不確定状態である場合）には、設定部４０は、図４（ａ）に示すように、封止部３８の封止部材３８ａが紙幣収納袋３４における参照符合３５および参照符合３５ａで示す場所で封止を行うことを設定する。また、識別部２６による識別結果に基づいて、装着部３２に装着されている紙幣収納袋３４に収納された紙幣の枚数または金額が予め設定されている所定の枚数または所定の金額よりも多い場合には、設定部４０は、図４（ｂ）に示すように、封止部３８の封止部材３８ａが紙幣収納袋３４における参照符合３５および参照符合３５ｂで示す場所で封止を行うことを設定する。また、識別部２６による識別結果に基づいて、装着部３２に装着されている紙幣収納袋３４に収納された紙幣に真正な紙幣以外の紙幣が少なくとも１つ含まれる場合には、設定部４０は、図４（ｃ）に示すように、封止部３８の封止部材３８ａが紙幣収納袋３４における参照符合３５、参照符合３５ａおよび参照符合３５ｂで示す場所で封止を行うことを設定する。また、識別部２６による識別結果に基づいて、装着部３２に装着されている紙幣収納袋３４に収納された紙幣の状態が上記の何れにも当てはまらない場合には、設定部４０は、封止部３８の封止部材３８ａが紙幣収納袋３４における図４の参照符合３５で示す場所のみで封止を行うことを設定する。このことにより、操作者は紙幣収納袋３４の外観を見ただけで当該紙幣収納袋３４に収納された紙幣に係る情報を容易に認識することができるようになる。
【００５４】
なお、本実施の形態では、紙幣収納袋３４に収納される紙幣の上限枚数または上限金額が制御部５０において予め設定されており、装着部３２に装着されている紙幣収納袋３４に収納された紙幣の枚数または金額が、制御部５０において予め設定されている上記の紙幣の上限枚数または上限金額よりも多い場合には、設定部４０は、図４（ｂ）に示すように、封止部３８の封止部材３８ａが紙幣収納袋３４における参照符合３５および参照符合３５ｂで示す場所で封止を行うことを設定するようになっている。あるいは、紙幣収納袋３４を紙幣処理機１０から取り外して運搬する場合における、安全上の理由から定めされている金額（例えば、保険の限度額）が制御部５０において予め設定されており、装着部３２に装着されている紙幣収納袋３４に収納された紙幣の金額が、制御部５０において予め設定されている上記の紙幣の金額よりも多い場合には、設定部４０は、図４（ｂ）に示すように、封止部３８の封止部材３８ａが紙幣収納袋３４における参照符合３５および参照符合３５ｂで示す場所で封止を行うことを設定するようになっていてもよい。
【００５５】
また、本実施の形態では、装着部３２に装着されている紙幣収納袋３４に収納された紙幣に偽紙幣が含まれる場合のみならず、装着部３２に装着されている紙幣収納袋３４に収納された紙幣に、真偽が不確定である紙幣（以下、真偽不確定券ともいう）が含まれる場合や、紙幣ではないと判定された媒体（例えば、商品券や小切手）が含まれる場合にも、装着部３２に装着されている紙幣収納袋３４に収納された紙幣に真正な紙幣以外の紙幣が含まれるとみなされるようになっている。また、装着部３２に装着されている紙幣収納袋３４に収納された紙幣に、自国以外の国や組織が発行した紙幣や旧券が含まれる場合にも、装着部３２に装着されている紙幣収納袋３４に収納された紙幣に真正な紙幣以外の紙幣が含まれるとみなされるようになっていてもよい。
【００５６】
また、設定部４０は、紙幣収納袋３４の開口の封止方法として、装着部３２に装着されている紙幣収納袋３４における封止部材３８ａにより封止される場所を識別部２６による識別結果に基づいて設定するにあたり、装着部３２に装着されるべき紙幣収納袋３４に互いに色が異なる複数の感熱発光層が設けられており、設定部４０は、装着部３２に装着されている紙幣収納袋３４における封止部材３８ａにより封止される場所を設定する際に、識別部２６による識別結果に基づいて、紙幣収納袋３４に設けられている複数の感熱発光層のうち封止部材３８ａにより封止される感熱発光層を選択して設定するようになっていてもよい。このような動作について図５を用いて説明する。図５に示すように、紙幣収納袋３４の開口の近傍には、封止部材３８ａによりヒートシールされたときに赤色で発光する第１感熱発光層３４ａ、封止部材３８ａによりヒートシールされたときに青色で発光する第２感熱発光層３４ｂおよび封止部材３８ａによりヒートシールされたときに黄色で発光する第３感熱発光層３４ｃが当該紙幣収納袋３４の幅方向に沿って並ぶよう形成されている。そして、設定部４０は、装着部３２に装着されている紙幣収納袋３４における封止部材３８ａにより封止される場所を設定する際に、装着部３２に装着されている紙幣収納袋３４の全幅に亘って１箇所で当該紙幣収納袋３４の開口を封止することに加えて、識別部２６による識別結果に基づいて、３つの感熱発光層３４ａ〜３４ｃのうち封止部材３８ａにより封止される感熱発光層を選択して設定するようになっている。このことにより、装着部３２に装着されている紙幣収納袋３４に収納された紙幣の状態によって、紙幣収納袋３４の開口の近傍に設けられた感熱発光層が発光する色が異なるようになり、操作者は紙幣収納袋３４の開口の近傍における感熱発光層が発光する色を見ただけで当該紙幣収納袋３４に収納された紙幣に係る情報を容易に認識することができるようになる。
【００５７】
また、封止部３８が封止部材３８ａおよび印字部材３８ｂを有している場合には、設定部４０は、紙幣収納袋３４の開口の封止方法として、印字部材３８ｂにより紙幣収納袋３４に印字される印字内容を識別部２６による識別結果に基づいて設定するようになっており、制御部５０は、設定部４０により設定された印字内容に基づいて、装着部３２に装着されている紙幣収納袋３４に印字を行うよう封止部３８の印字部材３８ｂを制御するようになっていてもよい。このような動作について図６を用いて説明する。本実施の形態では、印字部材３８ｂとして、例えばインクジェットプリンター等のプリンターが用いられるようになっている。また、図６に示すように、装着部３２に装着されている紙幣収納袋３４に対して封止部材３８ａおよび印字部材３８ｂはそれぞれ図６における左右方向に移動自在となっている。ここで、封止部３８の封止部材３８ａは、装着部３２に装着されている紙幣収納袋３４の全幅に亘って１箇所で当該紙幣収納袋３４の開口を封止するようになる。また、印字部材３８ｂは、紙幣収納袋３４における封止部材３８ａにより封止された箇所の上方の場所に様々な文字を印字するようになっている。具体的には、識別部２６による識別結果に基づいて、装着部３２に装着されている紙幣収納袋３４に収納された紙幣の枚数または金額が確定されていない場合には、設定部４０は、印字部材３８ｂにより紙幣収納袋３４に「在高異常」という文字を印字することを設定する。また、識別部２６による識別結果に基づいて、装着部３２に装着されている紙幣収納袋３４に収納された紙幣に真正な紙幣ではない紙幣（例えば、偽券や真偽不確定券）が少なくとも１つ含まれている場合には、設定部４０は、印字部材３８ｂにより紙幣収納袋３４に「真偽不確定券有り」という文字を印字することを設定する。このことにより、操作者は紙幣収納袋３４に印字された文字を見ただけで当該紙幣収納袋３４に収納された紙幣に係る情報を容易に認識することができるようになる。
【００５８】
なお、本実施の形態では、印字部材３８ｂは、装着部３２に装着されている紙幣収納袋３４における封止部材３８ａにより封止された箇所の上方の場所に様々な文字を印字する代わりに、装着部３２に装着されている紙幣収納袋３４における封止部材３８ａにより封止された箇所に様々な文字を印字するようになっていてもよい。具体的には、封止部材３８ａおよび印字部材３８ｂが一体化されたものとなっていてもよい。
【００５９】
また、封止部３８が封止部材３８ａおよび刻印部材３８ｃを有している場合には、設定部４０は、紙幣収納袋３４の開口の封止方法として、刻印部材３８ｃにより紙幣収納袋３４に刻印される刻印内容を識別部２６による識別結果に基づいて設定するようになっており、制御部５０は、設定部４０により設定された刻印内容に基づいて、装着部３２に装着されている紙幣収納袋３４に刻印を行うよう封止部３８の刻印部材３８ｃを制御するようになっていてもよい。このような動作について図７を用いて説明する。図７に示すように、装着部３２に装着されている紙幣収納袋３４の高さ方向に沿って複数（図７に示す例では３つ）の刻印部材３８ｃが設けられており、各刻印部材３８ｃには封止部材３８ａがそれぞれ設けられている。すなわち、封止部材３８ａおよび刻印部材３８ｃが一体化された部材が３つ設けられている。また、装着部３２に装着されている紙幣収納袋３４に対して各刻印部材３８ｃはそれぞれ図７における左右方向に移動自在となっている。ここで、封止部３８の封止部材３８ａは、装着部３２に装着されている紙幣収納袋３４の全幅に亘って１箇所で当該紙幣収納袋３４の開口を封止するようになる。また、各刻印部材３８ｃは、紙幣収納袋３４における封止部材３８ａにより封止された箇所に様々な文字を刻印するようになっている。ここで、３つの刻印部材３８ｃのうち最も上側に位置する刻印部材３８ｃは、紙幣収納袋３４に「在高異常」という文字を刻印するようになっており、３つの刻印部材３８ｃのうち上から２番目に位置する刻印部材３８ｃは、紙幣収納袋３４に「真偽不確定券有り」という文字を刻印するようになっており、３つの刻印部材３８ｃのうち最も下側に位置する刻印部材３８ｃは、紙幣収納袋３４に「収納量オーバー」という文字を刻印するようになっている。そして、識別部２６による識別結果に基づいて、装着部３２に装着されている紙幣収納袋３４に収納された紙幣の枚数または金額が確定されていない場合には、設定部４０は、最も上側の封止部材３８ａおよび刻印部材３８ｃにより装着部３２に装着されている紙幣収納袋３４に対して封止および刻印を行うことを設定する。また、識別部２６による識別結果に基づいて、装着部３２に装着されている紙幣収納袋３４に収納された紙幣に真正な紙幣ではない紙幣（例えば、偽券や真偽不確定券）が少なくとも１つ含まれている場合には、設定部４０は、上から２番目の封止部材３８ａおよび刻印部材３８ｃにより装着部３２に装着されている紙幣収納袋３４に対して封止および刻印を行うことを設定する。また、識別部２６による識別結果に基づいて、装着部３２に装着されている紙幣収納袋３４に収納された紙幣の枚数または金額が予め設定されている所定の枚数または所定の金額よりも多い場合には、設定部４０は、最も下側の封止部材３８ａおよび刻印部材３８ｃにより装着部３２に装着されている紙幣収納袋３４に対して封止および刻印を行うことを設定する。このことにより、操作者は紙幣収納袋３４に刻印された文字を見ただけで当該紙幣収納袋３４に収納された紙幣に係る情報を容易に認識することができるようになる。
【００６０】
また、封止部３８が封止部材３８ａおよび切断部材３８ｄを有している場合には、設定部４０は、紙幣収納袋３４の開口の封止方法として、装着部３２に装着されている紙幣収納袋３４における切断部材３８ｄにより切断される場所を識別部２６による識別結果に基づいて設定するようになっており、制御部５０は、装着部３２に装着されている紙幣収納袋３４における設定部４０により設定された場所を切断するよう封止部３８の切断部材３８ｄを制御するようになっていてもよい。このような動作について図８および図９を用いて説明する。図８および図９に示す例では、切断部材３８ｄは、装着部３２に装着されている紙幣収納袋３４の開口の近傍の箇所に穴を開けるようになっている。また、図８に示すように、装着部３２に装着されている紙幣収納袋３４に対して封止部材３８ａおよび切断部材３８ｄはそれぞれ図８および図９における左右方向に移動自在となっている。ここで、封止部３８の封止部材３８ａは、装着部３２に装着されている紙幣収納袋３４の全幅に亘って１箇所で当該紙幣収納袋３４の開口を封止するようになる。図９において、装着部３２に装着されている紙幣収納袋３４における、封止部３８の封止部材３８ａにより封止される場所を参照符合３５が指す斜線領域で示す。また、切断部材３８ｄは、紙幣収納袋３４における封止部材３８ａにより封止された箇所の上方の場所で当該紙幣収納袋３４に穴を開けるようになっている。図９（ａ）〜（ｃ）において、装着部３２に装着されている紙幣収納袋３４における、切断部材３８ｄにより穴が開けられる箇所を参照符合３９ａ、３９ｂで示す。ここで、識別部２６による識別結果に基づいて、装着部３２に装着されている紙幣収納袋３４に収納された紙幣の枚数または金額が確定されていない場合（すなわち、装着部３２に装着されている紙幣収納袋３４に収納された紙幣が在高不確定状態である場合）には、設定部４０は、図９（ａ）に示すように、封止部３８の切断部材３８ｄが紙幣収納袋３４における参照符合３９ａで示す場所で穴を開けることを設定する。また、識別部２６による識別結果に基づいて、装着部３２に装着されている紙幣収納袋３４に収納された紙幣の枚数または金額が予め設定されている所定の枚数または所定の金額よりも多い場合には、設定部４０は、図９（ｂ）に示すように、封止部３８の切断部材３８ｄが紙幣収納袋３４における参照符合３９ｂで示す場所で穴を開けることを設定する。また、識別部２６による識別結果に基づいて、装着部３２に装着されている紙幣収納袋３４に収納された紙幣に偽紙幣が含まれる場合には、設定部４０は、図９（ｃ）に示すように、封止部３８の切断部材３８ｄが紙幣収納袋３４における参照符合３９ａおよび参照符合３９ｂで示す場所で穴を開けることを設定する。また、識別部２６による識別結果に基づいて、装着部３２に装着されている紙幣収納袋３４に収納された紙幣の状態が上記の何れにも当てはまらない場合には、設定部４０は、封止部３８の切断部材３８ｄにより紙幣収納袋３４に穴を開けないことを設定する。このことにより、操作者は紙幣収納袋３４の開口の近傍に形成された穴を見ただけで当該紙幣収納袋３４に収納された紙幣に係る情報を容易に認識することができるようになる。
【００６１】
上述したように、本実施の形態では、設定部４０は、識別部２６による識別結果に基づいて、装着部３２に装着されている紙幣収納袋３４に収納された紙幣の枚数または金額が確定されていない場合には、紙幣収納袋３４の開口の封止方法を、装着部３２に装着されている紙幣収納袋３４に収納された紙幣の枚数または金額が確定されている場合と異なるものとするようになっている。また、設定部４０は、識別部２６による識別結果に基づいて、装着部３２に装着されている紙幣収納袋３４に収納された紙幣の枚数または金額が予め設定されている所定の枚数または所定の金額よりも多い場合には、紙幣収納袋３４の開口の封止方法を、装着部３２に装着されている紙幣収納袋３４に収納された紙幣の枚数または金額が予め設定されている所定の枚数または所定の金額以下である場合と異なるものとするようになっている。また、設定部４０は、識別部２６による識別結果に基づいて、装着部３２に装着されている紙幣収納袋３４に収納された少なくとも１つの紙幣が真正な紙幣ではない場合には、紙幣収納袋３４の開口の封止方法を、装着部３２に装着されている紙幣収納袋３４に収納された全ての紙幣が真正な紙幣である場合と異なるものとするようになっている。なお、設定部４０による紙幣収納袋３４の開口の封止方法の設定は、上述した態様に限定されることはない。他の態様として、設定部４０は、識別部２６による識別結果に基づいて、装着部３２に装着されている紙幣収納袋３４に収納された紙幣の枚数または金額に対応する収納袋の開口の封止方法を複数の封止方法から選択して設定するようになっていてもよい。例えば、装着部３２に装着されている紙幣収納袋３４に収納された紙幣の枚数または金額の情報が印字部材３８ｂにより当該紙幣収納袋３４の開口の近傍に印字されるようになっていてもよい。また、設定部４０は、識別部２６による識別結果に基づいて、装着部３２に装着されている紙幣収納袋３４に収納された紙幣の金種に対応する紙幣収納袋３４の開口の封止方法を複数の封止方法から選択して設定するようになっていてもよい。この場合、設定部４０は、識別部２６による識別結果に基づいて、装着部３２に装着されている紙幣収納袋３４に複数の金種の紙幣が収納された場合には、紙幣収納袋３４の開口の封止方法を、装着部３２に装着されている紙幣収納袋３４に収納された紙幣の金種が１種類である場合と異なるものとするようになっていてもよい。
【００６２】
また、本実施の形態では、設定部４０は、識別部２６による識別結果に基づいて紙幣収納袋３４の開口の封止方法を複数の封止方法から選択して設定するような態様に限定されることはない。他の態様として、設定部４０は、操作表示部５２により入力された情報に基づいて、紙幣収納袋３４の開口の封止方法を複数の封止方法から選択して設定し、制御部５０は、設定部４０により設定された封止方法に基づいて装着部３２に装着されている紙幣収納袋３４の開口を封止させるよう封止部３８を制御するようになっていてもよい。例えば、紙幣処理機１０による紙幣の処理日時、封止部３８により紙幣収納袋３４の開口が封止される日時、紙幣処理機１０における紙幣の処理担当者、紙幣処理機１０が設置される場所（例えば、紙幣処理機１０が設置される店舗の情報）、および紙幣処理機１０の次工程の情報のうちいずれかの情報が操作者によって操作表示部５２により入力された場合に、封止部３８の印字部材３８ｂによって、この操作表示部５２により入力された情報が紙幣収納袋３４の開口の近傍の箇所に印字されるようになっていてもよい。なお、紙幣処理機１０の次工程の情報とは、紙幣収納袋３４が処理される次工程に係る情報のことをいう。具体的には、紙幣処理機１０から取り出された紙幣収納袋３４が整理処理所に運ばれ、この紙幣収納袋３４に収納されている紙幣が整理処理所に設置されている整理機で処理される場合には、封止部３８の印字部材３８ｂによって紙幣収納袋３４の開口の近傍の箇所に「整理機処理」という文字が印字されるようになる。また、紙幣処理機１０から取り出された紙幣収納袋３４が紙幣処理センターに運搬される場合に、封止部３８の印字部材３８ｂによって紙幣収納袋３４の開口の近傍の箇所に紙幣処理センターの名称が印字されるようになっていてもよい。また、紙幣処理機１０から取り出された紙幣収納袋３４の移送を行う警備会社の名称が封止部３８の印字部材３８ｂによって紙幣収納袋３４の開口の近傍の箇所に印字されるようになっていてもよい。
【００６３】
また、本実施の形態の紙幣処理機１０では、フル状態またはニアフル状態となっている紙幣収納袋３４を警送会社の警備員等や店舗の店員等が下部ユニット１６の装着部３２から取り外すとき以外にも、所定の条件が満たされたときに、装着部３２に装着されている紙幣収納袋３４の開口が封止部３８により封止されるようになっていてもよい。具体的には、操作者によって電源スイッチ４２がオフとされたときに、装着部３２に装着されている紙幣収納袋３４に収納されている紙幣の枚数が予め設定されている所定の枚数よりも多い場合に、装着部３２に装着されている紙幣収納袋３４の開口が封止部３８により封止される。また、操作表示部５２により入力された紙幣の入金金額に基づいて算出される、紙幣収納袋３４に収納されるべき紙幣の金額と、識別部２６による識別結果に基づく、紙幣収納袋３４に実際に収納された紙幣の金額との差が一定金額以上となった場合に、違算が発生したとして、装着部３２に装着されている紙幣収納袋３４の開口が封止部３８により封止されるようになっていてもよい。あるいは、このような違算の発生回数が所定の回数を超えたときに、装着部３２に装着されている紙幣収納袋３４の開口が封止部３８により封止されるようになっていてもよい。また、紙幣収納袋３４に収納されている紙幣が立位状態となってしまい、当該紙幣収納袋３４に収納されている紙幣が封止部３８の封止部材３８ａにより封止されるべき箇所に達してしまうという収納障害が発生した場合や、紙幣処理機１０における翌日の紙幣の入金予測枚数が、装着部３２に装着されている紙幣収納袋３４の空き容量を超えた場合（すなわち、このまま紙幣収納袋３４を翌日に使用すればオーバーフローになると予測される場合）、紙幣収納袋３４の運搬を委託している警備会社のスケジュールが翌営業日よりも直近に設定されている場合、操作表示部５２により入力された情報や外部装置から通信インターフェース部５８を介して制御部５０に送られた情報に基づいて紙幣収納袋３４を収納している筐体１２の施錠を解錠する必要が生じた場合に、装着部３２に装着されている紙幣収納袋３４の開口が封止部３８により封止されるようになっていてもよい。このように、フル状態またはニアフル状態となっている紙幣収納袋３４を警送会社の警備員等や店舗の店員等が下部ユニット１６の装着部３２から取り外すとき以外にも、所定の条件が満たされたときに、装着部３２に装着されている紙幣収納袋３４の開口を封止部３８により封止することによって、紙幣収納袋３４の回収の運用を臨機応変かつ円滑に行うことができるようになる。
【００６４】
また、本実施の形態の紙幣処理機１０において、テープ式の収納繰出部３０は、店舗側で管理される紙幣を収納するものとして用いられるようになっていてもよい。具体的には、高額紙幣等の特定の金種の紙幣や、自国以外の特定の国や組織が発行する紙幣、クーポン券や小切手等の紙幣以外の紙葉類、偽紙幣等の特定紙幣が収納繰出部３０に収納されるようになっていてもよい。また、翌日換算で売上金として扱われる紙幣や、回収してよいか分からない紙幣、翌日に釣銭として用いられるべき紙幣等が特定紙幣として収納繰出部３０に収納されるようになっていてもよい。ここで、収納繰出部３０に収納されている特定紙幣は、所定の条件が満たされたときに、収納繰出部３０から搬送部２４に繰り出されて当該搬送部２４により装着部３２に装着されている紙幣収納袋３４に送られるようになっていてもよい。具体的には、例えば、翌日換算で売上金として扱われる紙幣が特定紙幣として収納繰出部３０に収納されている場合に、当該紙幣の売上日となったときに、この翌日換算で売上金として扱われる紙幣が収納繰出部３０から搬送部２４に繰り出されて当該搬送部２４により装着部３２に装着されている紙幣収納袋３４に送られるようになっていてもよい。
【００６５】
以上のような構成からなる本実施の形態の紙幣処理機１０および紙幣処理方法によれば、装着部３２に装着されている紙幣収納袋３４に収納されるべき紙幣が識別部２６により識別されるようになっており、設定部４０は、識別部２６による識別結果に基づいて、紙幣収納袋３４の開口の封止方法を複数の封止方法から選択して設定するようになっている。また、制御部５０は、設定部４０により設定された封止方法に基づいて装着部３２に装着されている紙幣収納袋３４の開口を封止させるよう封止部３８を制御するようになっている。このように、紙幣収納袋３４に収納されるべき紙幣の識別結果に基づいて紙幣収納袋３４の開口の封止方法を複数の封止方法から選択して設定することにより、紙幣収納袋３４の外観を見ただけで当該紙幣収納袋３４に収納されている紙幣に関する情報を操作者が容易に認識することができるようになる。
【００６６】
また、本実施の形態の紙幣処理機１０においては、上述したように、封止部３８は、装着部３２に装着されている紙幣収納袋３４の開口を封止する封止部材３８ａを有しており、設定部４０は、紙幣収納袋３４の開口の封止方法として、装着部３２に装着されている紙幣収納袋３４における封止部材３８ａにより封止される場所を識別部２６による識別結果に基づいて設定するようになっている。また、制御部５０は、装着部３２に装着されている紙幣収納袋３４における設定部４０により設定された場所を封止するよう封止部３８の封止部材３８ａを制御するようになっている（図３や図４参照）。
【００６７】
また、封止部材３８ａは、装着部３２に装着されている紙幣収納袋３４の開口を熱により封止するようになっており、装着部３２に装着されるべき紙幣収納袋３４には、互いに色が異なる複数の感熱発光層３４ａ〜３４ｃが設けられており、設定部４０は、装着部３２に装着されている紙幣収納袋３４における封止部材３８ａにより封止される場所を設定する際に、識別部２６による識別結果に基づいて、紙幣収納袋３４に設けられている複数の感熱発光層３４ａ〜３４ｃのうち封止部材３８ａにより封止される感熱発光層を選択して設定するようになっており、制御部５０は、設定部４０により設定された感熱発光層を封止するよう封止部３８の封止部材３８ａを制御するようになっていてもよい（図５参照）。なお、封止部材３８ａは、装着部３２に装着されている紙幣収納袋３４の開口を熱により封止するものに限定されることはない。封止部材３８ａとして、装着部３２に装着されている紙幣収納袋３４の開口を熱以外の方法により封止するものが用いられてもよい。
【００６８】
また、本実施の形態の紙幣処理機１０においては、上述したように、封止部３８は、装着部３２に装着されている紙幣収納袋３４の開口を封止する封止部材３８ａおよび装着部３２に装着されている紙幣収納袋３４に印字を行う印字部材３８ｂを有しており、設定部４０は、紙幣収納袋３４の開口の封止方法として、印字部材３８ｂにより紙幣収納袋３４に印字される印字内容を識別部２６による識別結果に基づいて設定するようになっていてもよい。この場合には、制御部５０は、設定部４０により設定された印字内容に基づいて、装着部３２に装着されている紙幣収納袋３４に印字を行うよう封止部３８の印字部材３８ｂを制御するようになる（図６参照）。また、この際に、印字部材３８ｂは、装着部３２に装着されている紙幣収納袋３４における封止部材３８ａにより封止された箇所に印字を行うようになっていてもよい。
【００６９】
また、本実施の形態の紙幣処理機１０においては、上述したように、封止部３８は、装着部３２に装着されている紙幣収納袋３４の開口を封止する封止部材３８ａおよび装着部３２に装着されている紙幣収納袋３４に刻印を行う刻印部材３８ｃを有しており、設定部４０は、紙幣収納袋３４の開口の封止方法として、刻印部材３８ｃにより紙幣収納袋３４に刻印される刻印内容を識別部２６による識別結果に基づいて設定するようになっていてもよい。この場合には、制御部５０は、設定部４０により設定された刻印内容に基づいて、装着部３２に装着されている紙幣収納袋３４に刻印を行うよう封止部３８の刻印部材３８ｃを制御するようになる（図７参照）。また、この際に、刻印部材３８ｃは、装着部３２に装着されている紙幣収納袋３４における封止部材３８ａにより封止された箇所に刻印を行うようになっていてもよい。
【００７０】
また、本実施の形態の紙幣処理機１０においては、上述したように、封止部３８は、装着部３２に装着されている紙幣収納袋３４の開口を封止する封止部材３８ａおよび装着部３２に装着されている紙幣収納袋３４を部分的に切断する切断部材３８ｄを有しており、設定部４０は、紙幣収納袋３４の開口の封止方法として、装着部３２に装着されている紙幣収納袋３４における切断部材３８ｄにより切断される場所を識別部２６による識別結果に基づいて設定するようになっていてもよい。この場合には、制御部５０は、装着部３２に装着されている紙幣収納袋３４における設定部４０により設定された場所を切断するよう封止部３８の切断部材３８ｄを制御するようになる（図８および図９参照）。なお、図８および図９では、封止部３８の切断部材３８ｄが、装着部３２に装着されている紙幣収納袋３４の開口の近傍に穴を開けるような態様について示されているが、切断部材３８ｄはこのような態様のものに限定されることはない。封止部３８の切断部材３８ｄとして、装着部３２に装着されている紙幣収納袋３４の端縁に切り欠きを形成するものが用いられてもよい。この場合には、設定部４０は、紙幣収納袋３４の開口の封止方法として、識別部２６による識別結果に基づいて装着部３２に装着されている紙幣収納袋３４における切断部材３８ｄにより切り欠きが形成される場所を複数の場所の中から選択して設定するようになる。
【００７１】
また、本実施の形態の紙幣処理機１０および紙幣処理方法によれば、紙幣の処理に係る情報が入力部としての操作表示部５２により入力されるようになっており、設定部４０は、入力部としての操作表示部５２に入力された情報に基づいて、紙幣収納袋３４の開口の封止方法を複数の封止方法から選択して設定するようになっている。また、制御部５０は、設定部４０により設定された封止方法に基づいて装着部３２に装着されている紙幣収納袋３４の開口を封止させるよう封止部３８を制御するようになっている。このように、操作表示部５２に入力された紙幣の処理に係る情報に基づいて紙幣収納袋３４の開口の封止方法を複数の封止方法から選択して設定することにより、紙幣収納袋３４の外観を見ただけで当該紙幣収納袋３４に収納されている紙幣の処理に係る情報を操作者が容易に認識することができるようになる。
【００７２】
なお、本実施の形態による紙幣処理機１０や紙幣処理方法は、上述したような態様に限定されることはなく、様々な変更を加えることができる。
【００７３】
例えば、本実施の形態による紙幣処理機１０において、装着部３２に装着される紙幣収納袋として、その内部領域が区画部材によって複数の領域に区画されたものが用いられてもよい。このような紙幣収納袋の構成について図１０および図１１を用いて説明する。
【００７４】
図１０に示す紙幣収納袋６０は、区画部材６２によって内部領域が２つの領域６０ａ、６０ｂに区画されており、各領域６０ａ、６０ｂに対応して複数の開口が設けられている。この際に、２つの領域６０ａ、６０ｂは左右に並ぶよう、紙幣収納袋６０の縦方向に沿って延びる区画部材６２により当該紙幣収納袋６０の内部領域が区画されるようになっている。また、紙幣収納袋６０の各開口に対応するよう１つの装着部３２に対して複数（図１０に示す例では２つ）の分岐搬送部２５が設けられており、各々の分岐搬送部２５から、装着部３２に装着された紙幣収納袋６０の各領域６０ａ、６０ｂに紙幣が送られてこれらの６０ａ、６０ｂに収納されるようになっている。ここで、１つの紙幣収納袋６０には同じ金種の紙幣が収納されるが、例えば一方の領域６０ａには識別部２６による識別結果に基づいて真正な紙幣であると判別された紙幣が収納され、他方の領域６０ｂには識別部２６による識別結果に基づいて真正な紙幣ではないと判別された紙幣が収納されるようになっている。また、装着部３２に紙幣収納袋６０が装着されているときに、一方の領域６０ａに紙幣が収納されるとともに、他方の領域６０ｂに紙幣以外の媒体（例えば、レシート等）が収納されるようになっていてもよい。また、本実施の形態による紙幣処理機１０に硬貨処理機が併設されている場合には、一方の領域６０ａに紙幣が収納されるとともに、他方の領域６０ｂに硬貨処理機から送られた硬貨が収納されるようになっていてもよい。
【００７５】
また、図１０に示す例では紙幣収納袋６０の内部領域が区画部材６２によって２つの領域６０ａ、６０ｂに区画されているが、別の変形例において、紙幣収納袋の内部領域が複数の区画部材によって３つ以上の領域に区画されるようになっていてもよい。この場合には、ある領域には識別部２６による識別結果に基づいて真正な紙幣であると判別された正券が収納され、別の領域には識別部２６による識別結果に基づいて真正な紙幣であると判別された損券が収納され、更に別の領域には識別部２６による識別結果に基づいて真正な紙幣ではないと判別された紙幣が収納されてもよい。あるいは、ある領域には識別部２６による識別結果に基づいて自国が発行したものであると判別された紙幣が収納され、別の領域には識別部２６による識別結果に基づいて自国以外の国や組織が発行したものであると判別された紙幣が収納され、更に別の領域には識別部２６による識別結果に基づいて真正な紙幣ではないと判別された紙幣が収納されてもよい。あるいは、各領域に対してそれぞれ紙幣収納袋が運搬されるべき金融機関が割り当てられ、各領域に紙幣が運搬されるべき金融機関毎に収納されるようになっていてもよい。
【００７６】
また、その内部領域が区画部材によって複数の領域に区画された紙幣収納袋として図１１に示すような構成のものが用いられてもよい。図１１に示す紙幣収納袋７０は、区画部材７２によって内部領域が２つの領域７０ａ、７０ｂに区画されており、各領域７０ａ、７０ｂに対応して複数の開口が設けられている。この際に、２つの領域７０ａ、７０ｂは上下に並ぶよう、紙幣収納袋７０の幅方向に沿って延びる区画部材７２により当該紙幣収納袋７０の内部領域が区画されるようになっている。また、紙幣収納袋７０の各開口に対応するよう分岐搬送部２５が分岐しており、分岐搬送部２５における分岐した先から、装着部３２に装着された紙幣収納袋７０の各領域７０ａ、７０ｂに紙幣が送られてこれらの７０ａ、７０ｂに収納されるようになっている。ここで、１つの紙幣収納袋７０には同じ金種の紙幣が収納されるが、例えば一方の領域７０ａには識別部２６による識別結果に基づいて真正な紙幣であると判別された紙幣が収納され、他方の領域７０ｂには識別部２６による識別結果に基づいて真正な紙幣ではないと判別された紙幣が収納されるようになっている。
【００７７】
図１０や図１１に示すような紙幣収納袋６０、７０を用いた場合には、複数の種別の有価媒体（具体的には、紙幣や硬貨等）を１つの紙幣収納袋に収納して回収することができるようになる。
【００７８】
また、本発明に係る貨幣処理機は、紙幣の処理を行う紙幣処理機１０に限定されることはない。本発明に係る貨幣処理機として、硬貨の処理を行う硬貨処理機に本発明の原理が適用されるようになっていてもよい。具体的には、硬貨の処理を行う硬貨処理機において、硬貨を収納する硬貨収納袋が装着される装着部、および装着部に装着されている硬貨収納袋の開口を封止する封止部が設けられているときに、装着部に装着されている硬貨収納袋に収納されるべき硬貨が識別部により識別されるようになっており、設定部は、識別部による識別結果に基づいて、硬貨収納袋の開口の封止方法を複数の封止方法から選択して設定するようになっている。また、制御部は、設定部により設定された封止方法に基づいて装着部に装着されている硬貨収納袋の開口を封止させるよう封止部を制御するようになっている。このように、硬貨収納袋に収納されるべき硬貨の識別結果に基づいて硬貨収納袋の開口の封止方法を複数の封止方法から選択して設定することにより、硬貨収納袋の外観を見ただけで当該硬貨収納袋に収納されている硬貨に関する情報を操作者が容易に認識することができるようになる。また、本発明に係る貨幣処理機として硬貨処理機が用いられる場合に、硬貨の処理に係る情報が入力部により入力されるようになっており、設定部は、入力部に入力された情報に基づいて、硬貨収納袋の開口の封止方法を複数の封止方法から選択して設定するようになっていてもよい。この場合にも、制御部は、設定部により設定された封止方法に基づいて装着部に装着されている硬貨収納袋の開口を封止させるよう封止部を制御するようになる。このような態様によれば、入力部に入力された硬貨の処理に係る情報に基づいて硬貨収納袋の開口の封止方法を複数の封止方法から選択して設定することにより、硬貨収納袋の外観を見ただけで当該硬貨収納袋に収納されている硬貨の処理に係る情報を操作者が容易に認識することができるようになる。
【符号の説明】
【００７９】
１０    紙幣処理機
１２    筐体
１４    上部ユニット
１６    下部ユニット
２０    投入部
２０ａ  紙幣繰出機構
２２    投出部
２２ａ  羽根車
２２ｂ  羽根車駆動部
２４    搬送部
２５    分岐搬送部
２６    識別部
３０    収納繰出部
３０ａ  ドラム
３１    テープ
３２    装着部
３２ａ  保持部材
３４    紙幣収納袋
３４ａ〜３４ｃ  感熱発光層
３５、３５ａ、３５ｂ  封止箇所
３８    封止部
３８ａ  封止部材
３８ｂ  印字部材
３８ｃ  刻印部材
３８ｄ  切断部材
３９ａ、３９ｂ  穴
４０    設定部
４２    電源スイッチ
５０    制御部
５２    操作表示部
５４    記憶部
５６    印字部
５８    通信インターフェース部
６０    紙幣収納袋
６０ａ、６０ｂ  区画された領域
６２    区画部材
７０    紙幣収納袋
７０ａ、７０ｂ  区画された領域
７２    区画部材
【図１】
2020173872.tif 000003
【図２】
2020173872.tif 000004
【図３】
2020173872.tif 000005
【図４】
2020173872.tif 000006
【図５】
2020173872.tif 000007
【図６】
2020173872.tif 000008
【図７】
2020173872.tif 000009
【図８】
2020173872.tif 000010
【図９】
2020173872.tif 000011
【図１０】
2020173872.tif 000012
【図１１】
2020173872.tif 000013
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
貨幣が投入される投入部と、
貨幣を収納する収納袋が装着される装着部と、
前記投入部に投入された貨幣を前記装着部に装着されている収納袋に搬送する搬送部と、
前記装着部に装着されている収納袋の開口を封止する封止部材と、
前記装着部に装着されている収納袋に収納される貨幣を識別する識別部と、
前記装着部に装着されている収納袋に印字を行う印字部材と、
前記識別部による識別結果に基づいて、収納袋に収納された貨幣の金額または枚数を収納袋に印字させるよう前記印字部材を制御する制御部と、
を備えた、貨幣処理機。
【請求項２】
貨幣を処理するための貨幣処理機であって、
貨幣が投入される投入部と、
貨幣を収納する収納袋が装着される装着部と、
前記投入部に投入された貨幣を前記装着部に装着されている収納袋に搬送する搬送部と、
前記装着部に装着されている収納袋の開口を封止する封止部材と、
前記装着部に装着されている収納袋に収納される貨幣を識別する識別部と、
前記装着部に装着されている収納袋に印字を行う印字部材と、
貨幣の処理日、前記封止部材により収納袋の開口が封止される日、前記貨幣処理機が設置される店舗の情報のうちいずれかを、収納袋に印字させるよう前記印字部材を制御する制御部と、
を備えた、貨幣処理機。
【請求項３】
担当者の情報を入力する入力部を更に備え、
前記制御部は、前記入力部に入力された担当者の情報を収納袋に印字させるよう前記印字部材を制御する、請求項１または２記載の貨幣処理機。
【手続補正３】
【補正対象書類名】明細書
【補正対象項目名】０００１
【補正方法】変更
【補正の内容】
【０００１】
本発明は、パウチ袋等の収納袋が装着される装着部を備えた貨幣処理機に関する。
【手続補正４】
【補正対象書類名】明細書
【補正対象項目名】０００５
【補正方法】変更
【補正の内容】
【０００５】
本発明は、このような点を考慮してなされたものであり、収納袋の外観を見ただけで当該収納袋に収納されている貨幣に関する情報や他の様々な情報を操作者が容易に認識することができる貨幣処理機を提供することを目的とする。
【手続補正５】
【補正対象書類名】明細書
【補正対象項目名】０００６
【補正方法】変更
【補正の内容】
【０００６】
本発明の貨幣処理機は貨幣が投入される投入部と、貨幣を収納する収納袋が装着される装着部と、前記投入部に投入された貨幣を前記装着部に装着されている収納袋に搬送する搬送部と、前記装着部に装着されている収納袋の開口を封止する封止部材と、前記装着部に装着されている収納袋に収納される貨幣を識別する識別部と、前記装着部に装着されている収納袋に印字を行う印字部材と、前記識別部による識別結果に基づいて、収納袋に収納された貨幣の金額または枚数を収納袋に印字させるよう前記印字部材を制御する制御部と、を備えたことを特徴とする。
また、本発明の貨幣処理機は、貨幣を処理するための貨幣処理機であって、貨幣が投入される投入部と、貨幣を収納する収納袋が装着される装着部と、前記投入部に投入された貨幣を前記装着部に装着されている収納袋に搬送する搬送部と、前記装着部に装着されている収納袋の開口を封止する封止部材と、前記装着部に装着されている収納袋に収納される貨幣を識別する識別部と、前記装着部に装着されている収納袋に印字を行う印字部材と、貨幣の処理日、前記封止部材により収納袋の開口が封止される日、前記貨幣処理機が設置される店舗の情報のうちいずれかを、収納袋に印字させるよう前記印字部材を制御する制御部と、を備えたことを特徴とする。
【手続補正６】
【補正対象書類名】明細書
【補正対象項目名】０００７
【補正方法】変更
【補正の内容】
【０００７】
このような貨幣処理機によれば、収納袋の外観を見ただけで当該収納袋に収納されている貨幣に関する情報を操作者が容易に認識することができる。
【手続補正７】
【補正対象書類名】明細書
【補正対象項目名】０００８
【補正方法】変更
【補正の内容】
【０００８】
本発明の貨幣処理機は、担当者の情報を入力する入力部を更に備え、前記制御部は、前記入力部に入力された担当者の情報を収納袋に印字させるよう前記印字部材を制御するようになっていてもよい。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】変更
【補正の内容】
【００２８】
本発明の貨幣処理機によれば、収納袋の外観を見ただけで当該収納袋に収納されている貨幣に関する情報や他の様々な情報を操作者が容易に認識することができる。